(57)【要約】  供給／配送ボード（８１）は、可撓性材料で作られたほぼ平らなプラットフォーム（８３）と、プラットフォームに取付けられ、下方に延びる、印刷機テーブル（８０ａ）のボードを支持するための複数の脚部（８４）と、を含む。ジャッキ機構（８８）が、プラットフォーム（８３）の領域を、プラットフォームの残部に対して選択的に持ち上げるために、脚部（８４）の少なくとも１つに取付けられる。ジャッキ機構（８８）は、ラック（８９）と、ピニオン（９０）と、を含み、該ピニオンは、前記ピニオンを回転させるためのラックおよびキー（９１）あるいはサムホイール（７１）に係合する。ボード（８１）は、脚部（８４）の各々に取付けられたジャッキ機構（８８）の１つを含む。【選択図】図１８
2009527431.tif 000002
【特許請求の範囲】
【請求項１】
可撓性材料で作られたほぼ平らなプラットフォームと、
前記プラットフォームに取付けられ、且つボードを印刷機テーブルに支持するための、下方に延びる複数の脚部と、
前記プラットフォームの領域をプラットフォームの残部に対して選択的に持ち上げるための、前記脚部の少なくとも１つに取付けられたジャッキ機構と、を有する、
ことを特徴とする供給／配送ボード。
【請求項２】
前記ジャッキ機構は、ラックと、前記ラックに係合するピニオンと、前記ピニオンを回転させるための手段と、を含む、請求項１に記載のボード。
【請求項３】
回転させるための前記手段は、キーである、請求項２に記載のボード。
【請求項４】
回転させるための前記手段は、サムホイールである、請求項２に記載のボード。
【請求項５】
前記脚部の各々に取付けられた前記ジャッキ機構の１つを含む、請求項１に記載のボード。
【請求項６】
前記プラットフォームは、上面に形成され、且つ前記上面の前縁および後縁の間に平行な関係をなして延びる複数のリブと交互になっている複数の溝を有する、請求項１に記載のボード。
【発明の詳細な説明】
【技術分野】
【０００１】
本発明は、シートフィード印刷機に用いるための、シートの積み重ねを受け入れるためのデバイスに関する。
【背景技術】
【０００２】
紙シートの積み重ねを受け入れるための様々なデバイスが、先行技術で今まで知られている。そのようなデバイスは、印刷されるべきシートフィード印刷機のシートのむら取りのために役立つ。積み重ねを備えたボードが、この目的のために、必要に応じて上方に移動するとき、その上に載っているシートの積み重ねは、積み重ねの紙の個々のシートが印刷機中への供給のための正しい位置にあるように、積み重ねガイドによって案内される。
【０００３】
「シート加工機用シート供給機」と題した米国特許第４，６３５，９２４号。
シート加工機用シート供給機は、シートのスタックの横方向位置を自動的に整合させるためのデバイスを有し、該シートのスタックから個々に分離されるべきそれぞれのシートは、シートを所定の移動方向に移動させるためのコンベアデバイスによって検出し、シート加工機に供給することができ、該シート加工機用シート供給機は、シートのスタックを運ぶためのスタックテーブルを含み、スタックテーブルはシートの所定の移動方向を横切って移動することができ、該シート加工機用シート供給機は、所定の移動方向に見られるように、シートスタックのすぐ下流に配置された実際のシート位置検出デバイスからのそれぞれの制御信号に応じて、スタックテーブルを所定の移動方向を横切って移動させるためのサーボモータ手段を含み、検出デバイスは、スタックから丁度分離され、コンベアデバイスに既に供給されたそれぞれのシートの横方向位置を検出するための手段を有する。
【０００４】
「シート供給機」と題した米国特許第４，７６５，６０６号。
持ち上げデバイスによって移動することができるスタック運搬テーブルを含み、前部および側部迫台を有するシート供給機に関連して、スタック運搬テーブルが、持ち上げデバイスの持ち上げ部材と連結されるようになっている支持テーブルと、それ自体の平面内での実質的に全ての方向の自由移動のために運搬テーブルに支持された積載ステージと、からなるかぎり、スタックの正確な位置決めが容易にされる。シート供給機は、ステージを支持テーブルに取り外し可能にクランプすることができるクランプデバイスを更に有する。
【０００５】
「印刷プラットフォーム」と題した米国特許第４，８１１，９３９号。
印刷機に供給されるべき紙および／またはボール紙を支持するためのプラットフォームであって、紙のシートが、調節可能な移動のために外側テーブルに取付けられた内側テーブル上に積み重ねられ、外側テーブルは、紙を持ち上げ、印刷機あるいは他の機械に自動的に供給するように垂直に駆動され、紙は、第１の縁を整合させるために印刷機に固定されたバーに向ってゆすって突きそろえることによって第１の方向に整合されることができ、センサが、紙のシートの上縁の横方向位置を検知し、上シートの横方向位置が印刷機に供給されるように、あるいは適切な位置であるように、内側テーブルの位置を調節する調節モータを制御する。
【０００６】
「シート供給印刷機用供給機」と題した米国特許第４，９７１，３１１号。
シート供給印刷機に用いるための供給機であって、パレットの紙シート積み重ねを積載した積み重ねボードが上方に移動する間、紙シートが側部見当位置を通して印刷ユニットに供給され、該供給機は、紙シート積み重ねの側縁を検出するために、ネジシャフトの回転によってネジシャフトに沿って移動できるセンサを有し、該センサは、左引っ張り側部見当位置が用いられるとき紙シート積み重ねが位置決めされるべき位置と、右引っ張り側部見当位置が用いられるときに紙シート積み重ねが位置決めされるべき位置との間の横切る方向あるいは横方向の距離と等しい量移動し、該供給機は、他の紙シート積み重ねを紙シート積み重ねの下に挿入するための非中断紙補充デバイス、あるいは、紙シートの残りの量および紙シート積み重ねの上面を検出する、検出手段を更に有する。
【０００７】
「シート供給印刷機にシート積み重ねを受け入れるためのデバイス」と題した米国特許第５，６１５，８７５号。
シート供給印刷機では、シート積み重ねを受け入れるためのデバイスが提供され、該デバイスは、上下に動くことができる積み重ねテーブルと、積み重ねテーブルに配置されたスペーサと、積み重ね支持部の使い捨てできるシートのそれぞれのサイズあるいは形に対応するそれぞれのサイズの積み重ね支持部と、を含み、様々なサイズのそれぞれの積み重ね支持部が、傾斜に抗してそれぞれの積み重ね支持部を安全に支持するのに十分な選択された数のスペーサに載るように、スペーサは、積み重ねテーブル上に分配され、且つ、局所的に固定され、それぞれ、より小さいサイズの積み重ね支持部は、それぞれ、より大きいサイズの積み重ね支持部よりも、より小さい数のそれぞれのスペーサ上に載る。
【発明の開示】
【発明が解決しようとする課題】
【０００８】
共通する問題は、シートがボード上に平らに置かれず、それによって印刷機中への供給中、アライメントの問題を引き起こす。シート湾曲の問題を補うために、スペーサを積み重ねの下シートとボードの上面との間に差し挟むことが、先行技術から知られてきた。これらのスペーサは、楔形状であり、すなわち、断面で角の形状を有し、ボードに移動可能に配置される。そのようなスペーサでの問題は、シートの両縁の間に延びる湾曲を補正するいくつかの必要があり、そのようなスペーサは、典型的には、積み重ねの中央部分には延びない。
【課題を解決するための手段】
【０００９】
本発明は、印刷機に用いられるべき印刷紙のような材料のシートのスタックを支持するための装置に関する。装置は、供給／配送ボードであって、平面内に延びる上面を有する、シートのスタックを支持するためのプラットフォームと、上面に形成された少なくとも１つの可動調節部分と、平面に対して少なくとも１つの可動調節部分を選択的に移動させ、それによって、前記少なくとも１つの可動調節部分によって支持されているシートのスタックの領域が、シートのスタックの残部に対して垂直に移動することができるための作動機構と、を含む。ボードは、ボードを表面に支持するための、プラットフォームに取付けられた複数の支持組立体を有する。支持組立体は、ホイール組立体および／または脚部組立体であるのがよい。
【００１０】
作動機構は、カム、ピニオン、ナット、およびプレートの１つに連結された、可動調節部分を移動させるためのネジロッドを含む。ロッドを手で回転させるために、ハンドル、ホイール、あるいはノブを用いることができる、あるいは、電気式、油圧式、空気圧式アクチュエータのような動力アクチュエータを用いてもよい。
【００１１】
可動調節部分は、実質的に平らであってもよいし、あるいは円筒形のような形状でもよい。可動調節部分は、プラットフォームにヒンジ止めされた縁部を有してもよい。
【００１２】
好ましい実施形態では、プラットフォームは、前壁と、向かい合った対の側壁によって結合された間隔を隔てた後壁と、を有する。複数の可動調節部分は、前壁と後壁との間に並んで延びる。作動機構は、可動調節部分を垂直方向に移動させる。作動機構は、可動調節部分の傾斜したスロットに係合する複数のローラを含み、それによって後壁に対する作動機構の移動が、スロット内のローラを移動させ、可動調節部分を平面に対して垂直方向に移動させる。作動機構は、ローラに連結されたプレートに形成された開口に螺合するロッドと、ロッドを回転させるための手動作動手段および動力作動手段の１つを含む。
【発明を実施するための最良の形態】
【００１３】
本発明の他の利点とともに上記は、添付図面に照らして考えたとき、好ましい実施形態の以下の詳細な説明から、当業者に容易に理解できるであろう。
【００１４】
２００６年２月１７日に出願された米国特許仮出願第６０／７７４，７０３号をここに援用する。
【００１５】
以下の詳細な説明および添付図面は、本発明の様々な例示的実施形態を記載し、図示する。記載および図面は、当業者が本発明を作り、使用することができるのに役立ち、いかなる方法でも本発明の範囲を限定するものではない。開示した方法に関して、示したステップは、本質的に例示であり、かくして、ステップの順番は、必須あるいは不可欠ではない。
【００１６】
図１に、給紙ボードおよび／または配紙ボードとして印刷機（図示せず）とともに用いるための、本発明による供給／配送ボード１０を示す。ボード１０は、車輪組立体のような複数の支持組立体１２を有する平らなプラットフォーム１１を含み、該支持組立体は平らなプラットフォームの下面から延びる。プラットフォーム１１の上面１３は、仮想線で示す紙シートのスタック１４を支持するためのほぼ水平な平面内に延びる。上面１３の調節部分１５が、両矢印１６の方向に上下に垂直に移動できる。調節部分１５は、面１３の前縁１３ａ（図示されない印刷機に面する）の中央領域に隣接して位置決めされる。作動機構が、取り外し可能なクランクハンドル１８を受け入れるために、上面１３の後縁１３ｂに隣接して外方に延びる露出端部１７ａを有する作動ロッドあるいは心棒１７を含む。心棒１７は、調節部分１５に機械的に連結されて矢印１６の方向に移動を引き起こし、それによって、調節部分１５によって支持されたスタック１４のその部分の高さを調節する。端部１７ａを、後縁１３ｂに隣接して外方に延びるものとして示すが、端部１７ａは、前縁１３ａに隣接して外方に延びてもよいし、端部１７ａは、印刷機との干渉を防止するために、両縁で凹所に置かれてもよい。
【００１７】
調節部分１５は、シート１４のスタックを水平にするのに必要とされる、かなり多数のサイズ、形状、位置、調節運動、およびそのような調節部分のための作動機構を示すにすぎない。図２に示すように、心棒１７は、調節部分１５の下面に接触するカム１９を含む。心棒１７は、両矢印２０の方向に回転して、調節部分１５を矢印１６の方向に移動させる。
【００１８】
図３に示すように、心棒１７は、調節部分２１の下面に接触するカム１９を含む。調節部分２１は、両矢印２３の方向に回転移動するためのピボット点２２に取付けられる。心棒１７は、両矢印２０の方向に回転して、調節部分２１を矢印２３の方向に移動させる。調節部分２１は、面１３の側部領域１３ｃ（図１）に有用である。
【００１９】
一旦位置決めされると、調節部分１５および２１は、図４に示すようにラチェット機構のようないかなる適当な手段によって保持することができる。機構は、心棒１７とともに回転するために取付けられた歯車２４を含む。ラッチ２５は、ラッチの一端の近くのピボット点２６でプラットフォーム１３に回転可能に取付けられる。ラッチ２５の自由端は、心棒１７の回転を妨げるために、戻しバネ２７の賦勢下で歯車２４の歯に係合する。歯車２４との係合から外れるラッチ２５の移動によって、心棒１７の回転が可能となる。
【００２０】
他の調節機構の形態を図５に示し、ピニオン２８が心棒１７に取付けられ、矢印１６で示す垂直移動を提供するために、調節部分１５に取付けられたラック２９に係合する。この同じ調節機構を用いて、調節部分２１を図６に示すように、矢印２３で示すように、回転移動可能に移動させることができる。
【００２１】
本発明の変形実施形態を図７および８に示す。供給／配送ボード３０は、前縁３１ａおよび後縁３１ｂを有するプラットフォーム上面３１を有する。上面３１は、該上面に形成され、前方乃至後方に延びる複数の長手方向スロット３２を有する。前リフトバー３３は、前縁３１ａに隣接してスロット３２を横切って延びる。リフトバー作動機構３５が、スロット３２の各対の隣接したスロット間に設けられる。機構は、図１−３に示したのと同様であり、且つロッドあるいは心棒３６を含み、該心棒は、リフトバー３３の下面に接触するカム３７および取り外し可能なハンドル３９によって係合されるナット３８を後縁３１ｂで心棒３６の露出した自由端に有する。
【００２２】
チューブ４０が、スロット３２の各々の中に設けられ、チューブには、リフトバー３３を通す凹部が形成されている。チューブ４０は、心棒４１の露出した自由端に、取り外し可能なハンドル３９によって係合されるナット４２を有する、ロッドあるいは心棒４１に偏心的に取付けられる。図８に示すように、チューブ４０の各々を、高さ調節の選択されたレベルを提供するために、個々に回転させることができる。また、図７に示すように、心棒４１の反対側の端は、前縁３１ａで露出してもよいし、ハンドル３９による係合のためのナット４３を備えてもよい。ナット４３の１つのみを示すが、心棒３６および４１の各々は、ボード３０の前側および後側からの調節を可能にするように、同様の方法で構成することができる。
【００２３】
図９に、本発明による変形実施形態の供給／配送ボード４４を示す。調節部分４５は、ボード４４のほぼ水平な内面４４ａの上方に間隔を隔てられる。ネジロッド４６が、ボード面４４ａと調節部分の下面４５ａとの間の空間に延びる。車輪４７（あるいはベアリング、ローラなど）は、面４４ａに沿って転がり、ネジ４６に係合するナット４８に回転可能に取付けられた一対のそのような車輪を表す。傾斜部４９が、下面４５ａで調節部分４５に取付けられ、ある角度で面４４ａに向って延びる。傾斜部４９は、車輪４７に接触できる係合面４９ａを有する。
【００２４】
ネジ４６は、両矢印５０で示すように、両方向に回転できる。ネジ４６の回転によって、ナット４８および車輪４７が両矢印５１で示すように移動される。係合面４９ａと接触する車輪４７のそのような移動により、調節部分４５が両矢印５２に示すように移動される。かくして、図９の右への車輪の移動を引き起こすための方向のネジ４６の回転は、面４４ａに対して、調節部分４５および紙のスタックの支持領域を持ち上げる。反対方向のネジ４６の回転は、図９の左への車輪４７の移動を引き起こし、調節部分４５および紙のスタックの支持領域を下げる。
【００２５】
図１０は、図９に示すのと同じタイプの調節機構によって作動される一対の回転可能に取付けられた側部調節部分５３が側面に位置する垂直移動のために、中央に位置決めされた調節部分を有する供給／配送ボード４４の斜視図である。ネジ４６は、ハンドル３９との係合のために、ボード４４の前側および後側の両方から延びるのがよい。変形例では、アクチュエータ５４が、回転のためにネジ４６に連結されてもよい。アクチュエータ５４は、電気式、油圧式、あるいは空気圧式のようないかなる適当なタイプのものであってもよい。
【００２６】
図１１から１４に、給紙ボードおよび／または配紙ボードとして印刷機（図示せず）とともに用いるための、本発明による更なる実施形態の供給／配送ボード６０を示す。ボード６０は、３つの脚部組立体６２ａおよび１つの車輪組立体６２ｂのような支持組立体を有する平らなプラットフォーム６１を含み、該支持組立体は、建物の床のような表面にボード６０を支持するために、プラットフォームの下面から延びる。脚部６２ａが床の上で滑動する間、車輪組立体６２ｂが、滑動移動中、ボード６０の「操縦」を容易にする。プラットフォーム６１の上面６３は、図１に示すスタック１４のような紙のシートのスタックを支持するためのほぼ水平な平面内に延びる。プラットフォーム６１は、印刷機に面するための前壁６１ａ、反対側の後壁６１ｂ、および、前縁および後縁に接合する左壁６１ｃおよび右壁６１ｄを有するほぼ長方形である。
【００２７】
上面６３は、図１４の両矢印６６で示すように上下に垂直に移動できるいくつかの調節部分を含む。図１１に最も良く示すように、右壁６１ｄから左壁６１ｃまで、上面６３は、調節部分６５ａ乃至６５ｅを含む。各々、前壁６１ａと後壁６１ｂとの間に延びる５つの調節部分を示すが、異なる形状およびサイズを有して、より多くあるいはより少なく設けられてもよい。図１２および１４では、調節部分６５ｃを上昇位置で示し、他の調節部分を上面６３と同一平面の下降位置で示す。
【００２８】
調節部分６５ｂおよび６５ｃのための作動機構のみを明瞭のために詳細に示す。複数の中間壁６４が、前壁６１ａと後壁６１ｂとの間に延び、且つ各隣接した対の調節部分間に位置決めされる。壁６４の各側面には、第１の複数の内側ローラ組立体６７が移動する、チャネルあるいはトラック６４ａが形成されている。第１のローラ組立体６７は、作動プレート６８に取付けられる。プレート６８が、前壁６１ａと後壁６１ｂとの間の中間で、調節部分６５ｂの下に示す位置にあるとき、調節部分６５ｂは、下降位置にある。プレート６８が後壁６１ｂに隣接して調節部分６５ｃの下に示す位置にあるとき、調節部分６５ｃは上昇位置にある。
【００２９】
第２の複数の外側ローラ組立体６９が、プレート６８の各々に取付けられ、各外側ローラ組立体は、調節部分６５ａ乃至６５ｅに形成された対応するスロット７０の中を移動する。スロット７０は、ある角度で、前壁６１ａに向って高くなり、後壁６１ｂに向って低くなる垂直平面内に延びる。かくして、プレート６８が調節部分６５ｂの下に示す位置（図１３）から調節部分６５ｃの下に示す位置（図１２）に移動すると、外側ローラ６９が、スロット７０内で移動し、関連した調節部分が上方に延ばされる。反対方向のプレート６８の移動により、関連した調節部分が下げられる。
【００３０】
ハンドル、車輪、あるいはノブ７１のような手動の作動手段が、ネジロッド７２の外側端に取付けられる。ロッド７２は、プレート６８のネジ開口７３に螺合する。一方向のノブ７１の回転は、プレート６８を後壁６１ｂに向って移動させ、反対方向の回転は、プレート６８を前壁６１ａに向って移動させる。プレート６８の各々は、関連したノブ７１およびロッド７２の一方を備え、あるいはノブをロッドからロッドに移動してもよいし、あるいは単一のノブおよびロッドをプレートからプレートに移動してもよい。調節部分６５ａから６５ｅは、完全下降位置から完全伸長位置まで、およびその間のいかなる位置にでも維持することができる。ロッド７２と開口７３との螺合は、調節部分上に載っているシートのスタックの重さを支持するのに十分な抵抗を提供することができ、あるいは図４に示す車輪２４およびラッチ２５のような、係止機構の或る形態を用いてもよい。
【００３１】
変形例では、ノブ７１を、ロッド７２を回転させるアクチュエータ５４（図１０）のような動力作動手段によって置き換えてもよい。アクチュエータ５４は、電気式、油圧式、あるいは空気圧式モータのようないかなる適当なタイプのものであってもよい。
【００３２】
図１５−１８に、本発明による供給／配送ボード８１の他の実施形態を示す。印刷すべき紙のスタック８２を支持する供給／配送ボード８１を有する在来の印刷機８０を図１５に示す。ボード８１は、また、スキッドあるいはパレットとして一般的に知られている。ボード８１は、紙が印刷機８０に供給されると持ち上げられるテーブル８０ａ上に載る。図１６および１７に示すように、ボード８１は、紙スタック８２を上面８５で支持する、ほぼ平らなプラットフォーム８３を有する。テーブル８０ａに係合する、複数の脚部８４が、プラットフォーム８３の下面から下方に延びる（図１５）。
【００３３】
ボード８１のような在来の供給／配送ボードは、典型的には、荷重下でボードの撓みに抵抗する丈夫なプラスチック材料から作られる。そのようなボードは、上面８５で、上面の前縁と後縁との間に平行な関係で延びる複数のリブ８７と交互になっている複数の溝あるいはチャネル８６を有する。溝８６は、荷物のための支持部あるいは持ち上げデバイス（図示せず）を受け入れることができる。例えば、米国特許第６，７０５，２３６号を参照せよ。更に、ボード８１を傾けるために、脚部８４のいずれかの下とテーブル８０ａとの間に、楔（図示せず）を挿入してもよい。
【００３４】
供給／配送ボード８１は在来のボードのようであるが、プラットフォーム８３が幾分可撓性であるように構成されている。これにより、プラットフォーム８３の選択された領域を、ボード８１全体を傾けることなしに持ち上げることができる。図１８に示すように、脚部８４の左の１つが、ジャッキ機構８８によってテーブル８０ａの上支持面より上に持ち上げられる。プラットフォーム８３の可撓性特性により、プラットフォームの残部を乱すことなしに、プラットフォームが左脚部８４の領域で撓むことができる。ジャッキ機構８８の１つを脚部８４の各々に備えることによって、紙のスタック８２のような荷物を印刷機８０の中へ供給するために平らにすることができる。
【００３５】
ジャッキ機構８８は、いかなる適当な構造のものであってもよい。図１９に示すように、ジャッキ機構は、取り外し可能なキー９１によって回転するピニオン９０によって駆動される垂直ラック８９であってもよい。変形例として、ピニオンは、脚部８４の側部で部分的に露出した、作動のためのサムホイール（図示せず）によって回転してもよい。
【００３６】
本発明の供給／配送ボードを印刷機および紙のシートのスタックに関して記載してきたが、ボードは、処理の前に平らにすることを必要とするいかなる材料のシートのスタックで用いることができる。
【００３７】
特許法の規定により、本発明を、その好ましい実施形態を表すと考えられることにおいて記載してきた。しかしながら、本発明は、その精神あるいは範囲から逸脱することなしに、詳細に図示され且つ記載された以外に実施することができることを、理解すべきである。
【図面の簡単な説明】
【００３８】
【図１】本発明による供給／配送ボード装置の斜視図である。
【図２】図１に示す１つの調節部分の断片的な断面図である。
【図３】図１に示す他の調節部分の断片的な断面図である。
【図４】図１に示す装置に使用される１つの調節機構のラチェット機構の断片的な正面図である。
【図５】図１に示す装置に使用される他の調節機構の断片的な正面図である。
【図６】図５に示す調節機構の他のバージョンの断片的な正面図である。
【図７】本発明による別の実施形態の供給／配送ボード装置の上平面図である。
【図８】図７に示す装置の背面図である。
【図９】本発明による他の調節機構の断片的な断面図である。
【図１０】図９に示す供給／配送ボードおよび調節機構の斜視図である。
【図１１】本発明による更に別の実施形態の供給／配送ボード装置の上平面図である。
【図１２】側壁を取り除いた、図１１に示す装置の左側面図である。
【図１３】側壁を取り除いた、図１１に示す装置の右側面図である。
【図１４】前壁を取り除いた、図１１に示す装置の正面図である。
【図１５】本発明による供給／配送ボードの他の実施形態を有する印刷機の斜視図である。
【図１６】図１５に示す紙のスタックを支持するボードの拡大斜視図である。
【図１７】図１６に示すボードの斜視図である。
【図１８】図１７に示すボードの側面図である。
【図１９】図１８に示すジャッキ機構の正面図である。
【図１】
2009527431.tif 000003
【図２】
2009527431.tif 000004
【図３】
2009527431.tif 000005
【図４】
2009527431.tif 000006
【図５】
2009527431.tif 000007
【図６】
2009527431.tif 000008
【図７】
2009527431.tif 000009
【図８】
2009527431.tif 000010
【図９】
2009527431.tif 000011
【図１０】
2009527431.tif 000012
【図１１】
2009527431.tif 000013
【図１２】
2009527431.tif 000014
【図１３】
2009527431.tif 000015
【図１４】
2009527431.tif 000016
【図１５】
2009527431.tif 000017
【図１６】
2009527431.tif 000018
【図１７】
2009527431.tif 000019
【図１８】
2009527431.tif 000020
【図１９】
2009527431.tif 000021
【国際調査報告】
2009527431.tif 000022